(57)【要約】      （修正有）【課題】自動車の自動運転システム又は、遠隔操作運転システムの実現を可能とするシステムを提供する。【解決手段】データセンタ（多数自動車を管理）又はパソコン（個人の自動車を管理）で自動車を管理し、自動車には、着脱可能なＵＳＢデータ通信機を使用し、一対一、又は一対多、多対多で通信を行い、自動運転や遠隔運転を行うシステム。【選択図】図１
0003170672.tif 000002
【実用新案登録請求の範囲】
【請求項１】
データセンタ（多数自動車を管理）又はパソコン（個人の自動車を管理）で自動車を管理し、自動車には、着脱可能なＵＳＢデータ通信機を使用し、一対一、又は一対多、多対多で通信を行い、自動運転や遠隔運転をを行うシステム。
【考案の詳細な説明】
【技術分野】
【０００１】
本考案は、自動運転システム又は、遠隔操作運転システムの考案である。
【背景技術】
【０００２】
ITSとは、最先端の情報通信技術を用いて人と道路と車両とを情報でネットワークすることにより、交通事故、渋滞などといった道路交通問題の解決を目的に構築する新しい交通システムです。人・道・車を情報通信技術でつなぐ。運転していて、道に迷わなくなり、渋滞も回避できるすぐれもののカーナビゲーションシステムと道路交通情報提供サービス（VICS）。料金所渋滞にさようなら。時間帯や距離で高速道路料金もお得のETC（自動料金支払システム）。自宅にいながらにしてバスの現在地がわかったり、バス停での待ち時間がわかってイライラ解消。バスロケーションシステム。
【０００３】
センサは、前後左右の距離を測定する。その技術は、超音波距離計、静電容量変位計、光学式測距、電磁波測距がある。カメラは、Webカメラ等のカメラを使用する。
【０００４】
USBデータ通信機として、移動体通信のうち携帯電話・PHSのパケット通信に該当しないもの、また、PC・PDAに携帯電話・PHS端末を接続・内蔵して利用する形態での料金体系など、さらにMVNOによる定額制データ通信に関しても扱う。また、料金制度以外の側面に関しては移動体通信や無線アクセスの項目も参照のこと。なお現状、携帯電話・PHSに関しては、通信方式はPHSおよび第三世代携帯電話（3G）に限られ、第二世代携帯電話（2G）での定額制のサービスは日本国内では存在しない。また、接続・内蔵端末がPC・PDAの別なく定額制が適用されるものと、スマートフォン向けのものがある。後者では、PCによる通信は定額制の対象外である（オペレータ・プラン等により、上限額が上がる形で定額が適用になる場合もある）。
【０００５】
360度カメラは、Home360 パノラマムービー、ソニーからHD画質で撮影できるコンパクトなムービーカメラ“bloggie”シリーズから、「 360ビデオレンズ」を付属する「MHS-PM5K」など2機種、かんしん君-360°監視カメラ- | 360度全方位監視カメラシステム | 日本 ...360°撮影可能なUSB小型カメラ(全方位 広角カメラ)による360°監視カメラシステムで パソコンに証拠画像を記録出来ます。LANタイプ（wsbカメラサーバータイプ）も有ります。らばQ:360度見渡せるパノラマ動画を撮影した特殊カメラ2008年1月12日 ... 360度見渡せるパノラマ動画を撮影した特殊カメラ、等がある。
【先行技術文献】
【特許文献】
【０００６】
ITAI水素車（実願2011-000775）
【非特許文献】
【０００７】
【非特許文献１】平成8年度電気関係学会九州支部連合大会（第49回連合大会）  １６．パターン理解  １６０３  視点の位置推定（板井修二）［弁理士試験試験  選択科目免除資格認定  平成19年3月12日  19工審第10号  情報通信工学  整理番号  06-04-0032］，wikipedia
【考案の概要】
【考案が解決しようとする課題】
【０００８】
解決しようとする問題点は、いかに、自動運転システム又は、遠隔操作運転システムを実現するかである。
【課題を解決するための手段】
【０００９】
本考案は、ＥＴＣカードのように使用するＵＳＢデータ通信機と、車の外の上部に取り付ける360度カメラと、前後左右の目的物までの距離を測定するセンサ・Webカメラ等のカメラを用いた自動車の自動運転システム又は、遠隔操作運転システムである。
【考案の効果】
【００１０】  本考案の（公序良俗違反につき、不掲載）ＡＴＳは  ＥＴＣカードのように使用するＵＳＢデータ通信機とパソコンをセットで使うことによりＧＰＳ機能も持たせることができ、車の上部に取り付ける360度カメラと、前後左右の目的物までの距離を測定するセンサ・Webカラメ等のカメラを用いることにより、自動車の自動運転システム又は、遠隔操作運転システムの実現を可能とする。
【図面の簡単な説明】
【００１１】
【図１】図１  データセンタ又はパソコンから自動運転システム又は、遠隔操作運転システムの自動車の簡単な図面である。
【考案を実施するための形態】
【００１２】
データセンタ又はパソコンで自動車の運行状況、又は遠隔操作運転システムの管理を行いながらＵＳＢデータ通信機、携帯電話機能(この携帯電はハンドフリーとし、操作は自動車のエアコン程度とする。)、360度カメラを使用し1枚の画面で前後左右（全方位）を確認、パソコンの画面でＧＰＳ機能などが使用できる。
【産業上の利用可能性】
【００１３】
公道の公共交通機関、タクシー、児童・老人・障害者の運搬。物の運送。
【図１】
0003170672.tif 000003
【手続補正書】
【提出日】平成23年5月16日(2011.5.16)
【手続補正２】
【補正対象書類名】明細書
【補正対象項目名】００１０
【補正方法】変更
【補正の内容】
【００１０】
本考案のAuto  Transeport  System、通称ATSは  ＥＴＣカードのように使用するＵＳＢデータ通信機とパソコンをセットで使うことによりＧＰＳ機能も持たせることができ、車の上部に取り付ける360度カメラと、前後左右の目的物までの距離を測定するセンサ・Webカラメ等のカメラを用いることにより、自動車の自動運転システム又は、遠隔操作運転システムの実現を可能とする。
【手続補正３】
【補正対象書類名】図面
【補正対象項目名】図１
【補正方法】変更
【補正の内容】
【図１】
0003170672.tif 000004
【手続補正４】
【補正対象書類名】明細書
【補正対象項目名】０００２
【補正方法】変更
【補正の内容】
【０００２】
ITSとは、最先端の情報通信技術を用いて人と道路と車両とを情報でネットワークすることにより、交通事故、渋滞などといった道路交通問題の解決を目的に構築する新しい交通システムです。人・道・車を情報通信技術でつなぐ。運転していて、道に迷わなくなり、渋滞も回避できるすぐれもののカーナビゲーションシステムと道路交通情報提供サービス。料金所渋滞にさようなら。時間帯や距離で高速道路料金もお得のETC（自動料金支払システム）。自宅にいながらにしてバスの現在地がわかったり、バス停での待ち時間がわかってイライラ解消。バスロケーションシステム。
【手続補正５】
【補正対象書類名】明細書
【補正対象項目名】００１２
【補正方法】変更
【補正の内容】
【００１２】
データセンタ又はパソコンで自動車の運行状況、又は遠隔操作運転システムの管理を行いながらＵＳＢデータ通信機、操作はエアコン程度のハンドフリーの携帯電話機能、360度カメラを使用し1枚の画面で前後左右（全方位）を確認、パソコンの画面でＧＰＳ機能などが使用できる。
【手続補正６】
【補正対象書類名】実用新案登録請求の範囲
【補正対象項目名】請求項１
【補正方法】変更
【補正の内容】
【請求項１】
多数の自動車を管理するデータセンタ又は個人の自動車を管理するパソコンで自動車を管理し、自動車には、着脱可能なＵＳＢデータ通信機を使用し、一対一、又は一対多、多対多で基本的にはパソコン通信を行い、自動運転や遠隔運転をを行うシステム。
【手続補正書】
【提出日】平成23年6月10日(2011.6.10)
【手続補正１】
【補正対象書類名】実用新案登録請求の範囲
【補正対象項目名】請求項１
【補正方法】変更
【補正の内容】
【請求項１】
データセンタ（多数自動車を管理）又はパソコン（個人の自動車を管理）で自動車を管理し、自動車には、着脱可能なＵＳＢデータ通信機を使用し、一対一、又は一対多、多対多で通信を行い、自動運転や遠隔運転を行うシステム。車の外観は、パトカーのような外観で模様はなんでもいいのであるが、サイレン灯の部分を360度カメラとし、内装では、車内部前面中央部のエアコンの上にコンピュータを設置する。エーティーエスとは、オート・トランスポート・システムの略で自動交通システムの略称である。
【手続補正書】
【提出日】平成23年7月13日(2011.7.13)
【手続補正１】
【補正対象書類名】実用新案登録請求の範囲
【補正対象項目名】請求項１
【補正方法】変更
【補正の内容】
【請求項１】
データセンタ（多数自動車を管理）又はパソコン（個人の自動車を管理）で自動車を管理し、自動車には、着脱可能なＵＳＢデータ通信機を使用し、一対一、又は一対多、多対多で通信を行い、自動運転や遠隔運転を行うシステムであり、自動車のサイレン灯の部分を360度カメラとし、車内部前面中央部のエアコンの上にコンピュータを設置した自動運転や遠隔運転を行うシステム。